(57)【要約】【課題】インストルメントパネルに対して回動可能に支持されたリッドと、リッドが全閉位置から所定の角度の直前の角度位置に回動するまでの間は、リッドに対して閉方向のモーメントを付与し、リッドが所定の角度を越えてから全開位置に回動するまでの間は、リッドに対して開方向のモーメントを付与する第１及び第２のねじりコイルばねを有する物入れ装置において、リッドの操作性を向上させる。【解決手段】第１のねじりコイルばね１２がリッド３に対してモーメントを付与しないときのリッド３の開き角度θと、第２のねじりコイルばねがリッド３に対してモーメントを付与しないときのリッド３の開き角度が互いに異なるようにする。【選択図】図３
2008068733.tif 000002
【特許請求の範囲】
【請求項１】
物入れ本体と、該物入れ本体に対して回動開閉可能に支持されたリッドと、一端が前記物入れ本体に係止され、他端が前記リッドに係止されていて、前記リッドが全閉位置から所定の角度の直前の角度位置に回動するまでの間は、該リッドに対して閉方向のモーメントを付与し、当該リッドが前記所定の角度を越えてから全開位置に回動するまでの間は、該リッドに対して開方向のモーメントを付与する第１及び第２のねじりコイルばねとを具備する物入れ装置において、
前記第１のねじりコイルばねの一端と、その他端と、前記リッドの回動中心とが一直線上に位置する時の該リッドの開き角度と、前記第２のねじりコイルばねの一端と、その他端と、前記リッドの回動中心とが一直線上に位置する時の該リッドの開き角度が互いに異なるように、第１及び第２のねじりコイルばねの一端と他端の位置を設定したことを特徴とする物入れ装置。
【発明の詳細な説明】
【技術分野】
【０００１】
本発明は、物入れ本体と、該物入れ本体に対して回動開閉可能に支持されたリッドとを有する物入れ装置に関する。
【背景技術】
【０００２】
自動車の車室内などに、上記形式の物入れ装置を設けることは従来より周知である（例えば、特許文献１参照）。かかる物入れ装置に、一端が物入れ本体に係止され、他端がリッドに係止されていて、そのリッドが全閉位置から所定の角度の直前の角度位置に回動するまでの間は、該リッドに対して閉方向のモーメントを付与し、当該リッドが上記所定の角度を越えてから全開位置に回動するまでの間は、該リッドに対して開方向のモーメントを付与する第１及び第２のねじりコイルばねを設けると、リッドを開く際に、全閉位置にあったリッドを或る角度まで手操作で回動させれば、あとはねじりコイルばねの作用によって、そのリッドを全開位置まで自動的に回動させることができる。逆に、全開位置にあったリッドを閉じるには、そのリッドを或る角度まで手操作で回動させれば、あとはねじりコイルばねの作用によって、そのリッドを全閉位置まで自動的に回動させることができる。このように楽にリッドの開閉を行うことができるのである。
【０００３】
ところが、この形式の物入れ装置によれば、リッドの開閉操作中にそのリッドから手を離しても、該リッドを停止させておくことのできる角度範囲が非常に狭いため、リッド開閉時の操作性が多少低下する欠点を免れない。
【０００４】
【特許文献１】実開平６−６７１９１号公報
【発明の開示】
【発明が解決しようとする課題】
【０００５】
本発明の目的は、上記欠点を除去することのできる物入れ装置を提供することにある。
【課題を解決するための手段】
【０００６】
本発明は、上記目的を達成するため、物入れ本体と、該物入れ本体に対して回動開閉可能に支持されたリッドと、一端が前記物入れ本体に係止され、他端が前記リッドに係止されていて、前記リッドが全閉位置から所定の角度の直前の角度位置に回動するまでの間は、該リッドに対して閉方向のモーメントを付与し、当該リッドが前記所定の角度を越えてから全開位置に回動するまでの間は、該リッドに対して開方向のモーメントを付与する第１及び第２のねじりコイルばねとを具備する物入れ装置において、前記第１のねじりコイルばねの一端と、その他端と、前記リッドの回動中心とが一直線上に位置する時の該リッドの開き角度と、前記第２のねじりコイルばねの一端と、その他端と、前記リッドの回動中心とが一直線上に位置する時の該リッドの開き角度が互いに異なるように、第１及び第２のねじりコイルばねの一端と他端の位置を設定したことを特徴とする物入れ装置を提案する。
【発明の効果】
【０００７】
本発明によれば、リッドの開閉操作中にそのリッドから手を離しても、該リッドを停止させておくことのできる角度範囲を拡大することができ、リッド開閉時の操作性をより一層向上させることができる。
【発明を実施するための最良の形態】
【０００８】
以下、本発明の実施形態例を図面に従って詳細に説明する。
【０００９】
図１は、自動車の車室内に配置された物入れ装置１の正面図である。この物入れ装置１は、図示していない助手席の前方に位置していて、図１は助手席の側から物入れ装置１を見た図である。また、図２は図１のII−II線拡大断面図、図５は図１のＶ−Ｖ線拡大断面図である。図２及び図５における矢印Ｆｒは自動車の前進方向を示し、この方向に直交する方向が、図１に示した車幅方向Ｗである。本明細書における「前」又は「後」なる文言は、自動車の前進方向Ｆｒを基準とした前後を意味する。
【００１０】
図１、図２及び図５に示した物入れ装置１は、物入れ本体２と、その物入れ本体２に対して回動開閉可能に支持されたリッド３とを有している。本例の物入れ本体２は、助手席の前方に配置されたインストルメントパネル４と、このインストルメントパネルに固定された物入れボックス５とから成り、インストルメントパネル４は図示していないメインボデーに固定されており、また物入れボックス５の助手席を向いた側は開口している。図には、この開口に符号６を付して示してある。かかる物入れボックス５とインストルメントパネル４とリッド３は共に樹脂により構成されている。
【００１１】
一方、リッド３は、物入れボックス５の開口６を開閉するリッド本体７と、そのリッド本体７の車幅方向各端部の上部にそれぞれ一体に形成されたアーム部８，８Ａとから成り、その各アーム部８，８Ａに形成された孔９，９Ａは、インストルメントパネル４に対して固定された枢ピン１０，１０Ａにそれぞれ回動可能に嵌合している。また、リッド本体７には、図１に示すように把手１１が形成され、さらに、車幅方向Ｗに互いに間隔をあけて配置された一対の枢ピン１０，１０Ａは、同心状に配置されている。
【００１２】
図１、図２及び図５は、リッド３が全閉位置を占めたときの状態を示しており、このときそのリッド本体７は、物入れボックス５の開口６を覆い、該開口６をほぼ全体に亘って閉鎖している。かかるリッド３を開くには、図１に示した把手１１に指を掛けて、当該リッド３を図２及び図５に矢印Ｐで示した方向に引く。これにより、リッド３は、前述の枢ピン１０，１０Ａの中心であるリッド３の回動中心Ｘのまわりを矢印Ｐ方向に回動する。このように回動し始めたリッド３は、図３及び図６に示した位置を通り、最終的に図４及び図７に示した全開位置に至り、ここで図示していないストッパに当って停止する。このとき、物入れボックス５の開口６は開放されるので、その物入れボックス５の内部に図示していない収納物を出し入れすることができる。
【００１３】
全開位置にあるリッド３に指を掛けて、これを回動中心Ｘのまわりに矢印Ｐと反対方向に回動させることにより、そのリッド３を図２及び図５に示した全閉位置にもたらすことができる。このとき、リッド３は図示していないストッパに当って全閉位置に停止する。このように、リッド３は、物入れ本体２に対して回動開閉可能に支持されているのである。
【００１４】
一方、物入れ装置１は、図２及び図５に示すように、互いに車幅方向に離間して位置する第１及び第２のねじりコイルばね１２，１２Ａを有している。第１及び第２のねじりコイルばね１２，１２Ａの一端１３，１３Ａは、インストルメントパネル４に固定された図示していないリテーナに形成された孔に嵌合し、第１及び第２のねじりコイルばね１２，１２Ａの他端１４，１４Ａは、リッド３の各アーム部８，８Ａにそれぞれ形成された孔に嵌合している。このように、本例の第１及び第２のねじりコイルばね１２，１２Ａの一端１３，１３Ａは、リテーナを介してインストルメントパネル４に係止されているが、当該一端１３，１３Ａを直にインストルメントパネル４に係止することもできる。同様に第１及び第２のねじりコイルばね１２，１２Ａの他端１４，１４Ａを中間部材を介してリッド３に係止することもできる。いずれにしても、第１及び第２のねじりコイルばね１２，１２Ａは、その各一端１３，１３Ａが物入れ本体２に係止され、その各他端１４，１４Ａがリッド３に係止されている。
【００１５】
ここで、リッド３が図２及び図５に示した全閉位置にあるとき、第１のねじりコイルばね１２は、その一端１３と他端１４を結ぶ線を延長した矢線で表わした力Ｆ１をリッド３に対して加える。同様に、第２のねじりコイルばね１２Ａは、その一端１３Ａと他端１４Ａを結ぶ線を延長した矢線で表わした力ＦＡ１をリッド３に対して加える。従って、リッド３が全閉位置にあるときに、リッド３の回動中心Ｘから、各力Ｆ１，ＦＡ１を示す矢線までの距離をＬ１，ＬＡ１とすると、第１のねじりコイルばね１２は、リッド３に対してＭ１＝Ｆ１×Ｌ１で表わされるモーメントを付与する。同様に第２のねじりコイルばね１２Ａは、リッド３に対してＭＡ１＝ＦＡ１×ＬＡ１で表わされるモーメントを与える。これらのモーメントＭ１，ＭＡ１は、共にリッド３を閉方向に回動させる向きのモーメントである。かかるモーメントＭ１，ＭＡ１が、閉位置にあるリッド３に作用するので、該リッド３を安定した状態で全閉位置に保持することができる。
【００１６】
ここで、前述のように、リッド３の把手１１に指を掛けて、該リッド３を図２及び図５に矢印Ｐで示した方向に引いて、当該リッド３を図３及び図６にそれぞれ示した位置まで回動させたとする。このときのリッド３の開き角度をそれぞれθ，θＡとする。図３及び図６から明らかなように、リッド３がこれらの位置まで開いたとき、第１及び第２のねじりコイルばね１２，１２Ａの一端１３，１３Ａと、その他端１４，１４Ａと、リッド３の回動中心Ｘとが一直線Ｑ，ＱＡ上に位置する。このため、第１及び第２のねじりコイルばね１２，１２Ａによって、リッド３に対してモーメントが与えられることはない。
【００１７】
把手１１に指を掛けてリッド３をさらに矢印Ｐ方向に引き、該リッド３の開き角度が、上述の角度θ，θＡよりも大きくなると、第１及び第２のねじりコイルばね１２，１２Ａによって、リッド３に対し、該リッド３が開く向きのモーメントが与えられる。具体的に示すと、リッド３が図４及び図７に示した全開位置に至ったとき、第１のねじりコイルばね１２は、その一端１３と他端１４を結ぶ線を延長した矢線で表わされる力Ｆ２をリッド３に対して加える。同様に第２のねじりコイルばね１２Ａは、その一端１３Ａと他端１４Ａを結ぶ線を延長した矢線で表わされる力ＦＡ２をリッド３に対して加える。また、リッド３が全開位置にあるときに、リッド３の回動中心Ｘから、各力Ｆ２，ＦＡ２を示す矢線までの距離をＬ２，ＬＡ２とすると、第１のねじりコイルばね１２は、リッドに対してＭ２＝Ｆ２×Ｌ２で表わされるモーメントを付与し、第２のねじりコイルばね１２Ａは、リッド３に対してＭＡ２＝ＦＡ２×ＬＡ２で表わされるモーメントを与える。これらのモーメントＭ２，ＭＡ２は、共にリッド３を開方向に回動させる向きのモーメントである。このため、リッド３をその全開位置に安定した状態で保持することができる。
【００１８】
上述のように第１及び第２のねじりコイルばね１２，１２Ａは、リッド３が全閉位置から所定の角度θ，θＡの直前の角度位置に回動するまでの間は、そのリッド３に対して閉方向のモーメントＭ１，ＭＡ１を付与し、該リッド３が上記所定の角度θ，θＡを越えてから全開位置に回動するまでの間は、そのリッド３に対して開方向のモーメントＭ２，ＭＡ２を付与する。
【００１９】
上記構成によれば、リッド３を開く際に、全閉位置にあったリッド３を、或る角度まで手操作で回動させれば、あとは第１及び第２のねじりコイルばね１２，１２Ａの作用によって、リッド３を自動的に全開位置まで回動させることができ、逆にリッド３を閉じる時は、全開位置にあったリッド３を或る角度まで手操作で回動させれば、あとは第１及び第２のねじりコイルばね１２，１２Ａの作用によって、そのリッド３を全閉位置まで自動的に回動させることができ、リッド３の開閉を楽に行うことができる。
【００２０】
その際、図３に示したように、第１のねじりコイルばね１２の一端１３と、その他端１４と、リッド３の回動中心Ｘが一直線Ｑ上に位置する時のリッド３の開き角度を前述の如くθとし、図６に示したように、第２のねじりコイルばね１２Ａの一端１３Ａと、その他端１４Ａと、リッド３の回動中心Ｘとが一直線ＱＡ上に位置する時のリッド３の開き角度を前述の如くθＡとしたとき、仮に、θ＝θＡであったとすると、第１及び第２のねじりコイルばね１２，１２Ａは、リッド３がθ＝θＡの角度まで開いたときに、リッド３に対してモーメントを付与しないことになる。リッド３には、枢ピン１０，１０Ａから受ける摩擦力も作用するので、このとき、リッド３から手を離しても、そのリッド３をその角度位置に停止させておくことができる。その際、リッド３には上述の摩擦力が作用するので、リッド３の開き角度がθ＝θＡよりも、極くわずかに小又は大である時も、そのリッド３から手を離しても、当該リッド３をその角度位置に停止させておくことが可能であるが、それでも、リッド３を停止させておくことのできる角度範囲は極く狭いものとなる。このため、リッド３を開く時、そのリッド３を手操作にて或る角度まで開いたところで、そのリッド３が急激に全開位置まで自動的に回動したり、逆にリッド３を閉じる時は、そのリッド３を手操作により或る角度まで閉じたところで、そのリッド３が急激に全閉位置まで自動的に回動してしまい、その操作性が低下する。
【００２１】
そこで、本例の物入れ装置１においては、図３及び図６から判るように、第１のねじりコイルばね１２の一端１３と、その他端１４と、リッド３の回動中心Ｘとが一直線Ｑ上に位置する時の該リッド３の開き角度θと、第２のねじりコイルばね１２Ａの一端１３Ａと、その他端１４Ａと、リッド３の回動中心Ｘとが一直線ＱＡ上に位置する時の該リッド３の開き角度θＡが互いに異なるように、第１及び第２のねじりコイルばね１２，１２Ａの一端１３，１３Ａと他端１４，１４Ａの位置が設定されている。
【００２２】
前述のように、リッド３には枢ピン１０，１０Ａから受ける摩擦力が作用するので、上述した構成を採用することにより、リッド３の開閉操作中に、そのリッド３から手を離しても、該リッド３を停止させておくことのできる角度範囲を拡大することができる。これによって、リッド３の開閉時の操作性を高めることができる。しかも、リッド３を開くときは、当該リッド３をゆっくりと全開位置へと回動させ、逆にリッド３を閉じるときは、そのリッド３をゆっくりと全閉位置へと回動させることができ、物入れ装置の高級感を演出することができる。
【００２３】
本発明は、自動車の車室内に設けられる物入れ装置に限らず、一般家庭、オフィスその他の個所に設けられる物入れ装置にも適用できるものである。
【図面の簡単な説明】
【００２４】
【図１】自動車の車室内に配置された物入れ装置の正面図である。
【図２】図１のII−II線拡大断面図である。
【図３】リッドが全閉位置と全開位置との間にあるときの物入れ装置の断面図である。
【図４】リッドが全開位置にあるときの物入れ装置の断面図である。
【図５】図１のＶ−Ｖ線拡大断面図である。
【図６】リッドが全閉位置と全開位置との間にあるときの物入れ装置の断面図である。
【図７】リッドが全開位置にあるときの物入れ装置の断面図である。
【符号の説明】
【００２５】
１  物入れ装置
２  物入れ本体
３  リッド
１２，１２Ａ  ねじりコイルばね
１３，１３Ａ  一端
１４，１４Ａ  他端
Ｑ，ＱＡ  一直線
Ｘ  回動中心
θ，θＡ  角度
【図１】
2008068733.tif 000003
【図２】
2008068733.tif 000004
【図３】
2008068733.tif 000005
【図４】
2008068733.tif 000006
【図５】
2008068733.tif 000007
【図６】
2008068733.tif 000008
【図７】
2008068733.tif 000009